(57)【要約】【課題】下ボタンの何れか二つの穴に掛け渡される縫い糸の数を減少させ、これにより、縫い不良の発生を抑制して、縫製物の商品価値を向上させる。【解決手段】布地Ｍに縫い付けられる上ボタンＡ及び下ボタンＢを保持する上ボタン保持部２及び下ボタン保持部４と、縫付動作制御手段（ＣＰＵ７１）とを備えるボタン付けミシン１００である。縫付動作制御手段は、上ボタン及び下ボタンの一の穴Ａ１、Ｂ１に通された縫い糸が、上ボタン及び下ボタンの他の一の穴Ａ２、Ｂ２に通されるように、上ボタン保持部及び下ボタン保持部を駆動させる第一の縫付動作制御と、上ボタン及び下ボタンの何れか一の穴に通された縫い糸が、上ボタンの他の一の穴と下ボタンの一の穴に通されるように、上ボタン保持部及び下ボタン保持部を駆動させる第二の縫付動作制御とを組み合わせて布地に対する上ボタン及び下ボタンの縫い付けを実行する。【選択図】        図１
2004329407.tif 000002
【特許請求の範囲】
【請求項１】
上下動可能に設けられた縫い針と、前記縫い針により布地上に縫い付けられる上ボタンを保持する上ボタン保持部と、前記上ボタンに対して前記布地の反対側に前記縫い針により縫い付けられる下ボタンを保持する下ボタン保持部と、前記上ボタン保持部及び前記下ボタン保持部の各々を独立して前記縫い針に対して垂直な方向に駆動する駆動部と、前記上ボタン及び前記下ボタンの縫い付け動作を制御する縫付動作制御手段と、を備えるボタン付けミシンにおいて、
前記縫付動作制御手段は、
前記縫い針の上下動により、前記上ボタン及び前記下ボタンの何れか一の穴どうしに通された縫い糸が、前記上ボタン及び前記下ボタンの前記一の穴と異なる他の一の穴どうしに通されるように、前記駆動部により前記上ボタン保持部及び前記下ボタン保持部を駆動させる第一の縫付動作制御と、
前記縫い針の上下動により、前記上ボタン及び前記下ボタンの何れか一の穴どうしに通された縫い糸が、前記上ボタンの前記一の穴と異なる他の一の穴と前記下ボタンの前記一の穴に通されるように、前記駆動部により前記上ボタン保持部及び前記下ボタン保持部を駆動させる第二の縫付動作制御と、を実行可能に構成され、
前記第一の縫付動作制御と前記第二の縫付動作制御とを組み合わせて前記布地に対する前記上ボタン及び前記下ボタンの縫い付けを実行することを特徴とするボタン付けミシン。
【請求項２】
前記下ボタンには、二つの穴が形成されており、
前記縫付動作制御手段は、第二の縫付動作制御により前記下ボタンの第一の穴に連続して縫い糸が通された後、次の第二の縫付動作制御がなされる場合に、前記下ボタンの第二の穴に連続して縫い糸が通されるように、前記下ボタンを配置させることを特徴とする請求項１に記載のボタン付けミシン。
【請求項３】
前記縫付動作制御手段による前記第二の縫付動作制御に基づく縫付回数を設定可能な操作部を備えることを特徴とする請求項１又は２に記載のボタン付けミシン。
【請求項４】
上下動可能に設けられた縫い針と、前記縫い針により布地上に縫い付けられる上ボタンを保持する上ボタン保持部と、前記上ボタンに対して前記布地の反対側に前記縫い針により縫い付けられる下ボタンを保持する下ボタン保持部と、前記上ボタン保持部及び前記下ボタン保持部の各々を独立して前記縫い針に対して垂直な方向に駆動する駆動部と、を備えるボタン付けミシンを用いて、前記布地に前記上ボタン及び前記下ボタンを縫い付けるボタン縫付方法において、
前記縫い針の上下動により、前記上ボタン及び前記下ボタンの何れか一の穴どうしに通された縫い糸が、前記上ボタン及び前記下ボタンの前記一の穴と異なる他の一の穴どうしに通されるように、前記駆動部により前記上ボタン保持部及び前記下ボタン保持部を駆動させる第一の縫付動作工程と、
前記縫い針の上下動により、前記上ボタン及び前記下ボタンの何れか一の穴どうしに通された縫い糸が、前記上ボタンの前記一の穴と異なる他の一の穴と前記下ボタンの前記一の穴に通されるように、前記駆動部により前記上ボタン保持部及び前記下ボタン保持部を駆動させる第二の縫付動作工程と、
を組み合わせて前記布地に対する前記上ボタン及び前記下ボタンの縫い付けを実行することを特徴とするボタン縫付方法。
【発明の詳細な説明】
【０００１】
【発明の属する技術分野】
本発明は、ボタン付けミシン及びボタン縫付方法に関する。
【０００２】
【従来の技術】
従来より、布地上に上ボタンを縫い付け、さらに、上ボタンに対して布地を挟んで当該布地の反対側に下ボタンを縫い付けるボタン付けミシンが知られている。
【０００３】
ところで、上ボタン及び下ボタンは、一般的に、下ボタンに対して上ボタンの方が径寸法が大きく、また、穴の個数が多くなっており（図５（ａ）及び図５（ｂ）参照）、さらに、上ボタン及び下ボタンの穴間の距離が互いに異なるようになっているものもある。
そこで、穴の個数や穴間の距離や穴の配置等が異なる多種多様の上ボタン及び下ボタンを縫い付け可能に構成されたボタン付けミシンが開発されている（例えば、特許文献１参照。）。
この特許文献１のボタン付けミシンは、例えば、穴間の距離が等しいが穴の個数が互いに異なる上ボタン及び下ボタンの縫い付けを行う場合、上ボタンを所定位置に固定した状態で、下ボタンを所定方向に移動させ、且つ、縫い針を所定の針振り方向に移動させることにより縫い付け可能となっており、また、穴の個数に関係なく穴間の距離が互いに異なる上ボタン及び下ボタンの縫い付けを行う場合、上ボタン及び下ボタンを個別に所定方向に移動させることにより縫い付け可能となっている。
【０００４】
以下に、上記のボタン付けミシンによる上ボタン及び下ボタンの縫い付け手順について、図６を参照して説明する。
例えば、図６に示すように、ボタン付けミシンは、四つの穴Ａ１〜Ａ４を有する上ボタンＡと二つの穴Ｂ１、Ｂ２を有する下ボタンＢを縫い付ける場合、先ず、上ボタンＡの二つの穴Ａ１、Ａ２と下ボタンＢの穴Ｂ１、Ｂ２を用いて、これら両ボタンの縫い付けを行う。即ち、ボタン付けミシンは、先ず、１針目を上ボタンＡの穴Ａ１と下ボタンＢの穴Ｂ１に落とし、次に、２針目を上ボタンＡの穴Ａ２と下ボタンＢの穴Ｂ２に落とす。そして、１針目及び２針目と同様の針落ちを交互に所定回数、例えば５回繰り返した後、最終の針落ちである８針目を７針目と同様の針落ちとし、縫い糸を結んで切断することで、上ボタンＡの四つの穴Ａ１〜Ａ４のうちの二つの穴Ａ１、Ａ２を介した上ボタンＡ及び下ボタンＢの縫い付けを終了する。
次に、上ボタンＡの残り二つの穴Ａ３、Ａ４と下ボタンＢの穴Ｂ１、Ｂ２を用いて、上記と同様の手順で、当該上ボタンＡ及び下ボタンＢの縫い付けを行う。
なお、上記のボタン付けミシンは、上ボタンＡ及び下ボタンＢを、例えば単糸環縫いにより縫い付けるようになっており、これにより、下ボタンＢの布地側と反対側にて縫い目が形成されることとなる。
【０００５】
【特許文献１】
特開平８−１１７４６５号公報
【０００６】
【発明が解決しようとする課題】
ところで、上記のようにして上ボタン及び下ボタンの縫い付けを行うと、上ボタンの四つの穴のうち、何れか二つの穴及び残りの二つの穴には、それぞれ６本の縫い糸が掛け渡されるのに対し、下ボタンの二つの穴には、１２本の縫い糸が掛け渡されることとなる。即ち、穴の個数が下ボタンの穴の個数に対して多い上ボタンを用いた場合、上ボタンの何れか二つの穴に掛け渡される縫い糸の数に対して下ボタンの何れか二つの穴に掛け渡される縫い糸の数が多くなるために、下ボタンの各穴に縫い糸を通す際の抵抗が大きくなって、縫い糸が引き上がらなかったり、下ボタンの穴に既に通された縫い糸に縫い針が刺さったりしてしまい、縫い不良が生じるといった問題がある。
また、下ボタンの布地と反対側にて縫い目が盛り上がった状態となり、ユーザに対する印象も悪くなるという問題もある。
【０００７】
本発明の課題は、下ボタンの何れか二つの穴に掛け渡される縫い糸の数を減少させることができ、これにより、縫い不良の発生を抑制でき、縫製物の商品価値を向上させることができるボタン付けミシン及びボタン縫付方法を提供することである。
【０００８】
【課題を解決するための手段】
上記課題を解決するため、請求項１に記載の発明は、例えば、図１及び図２に示すように、
上下動可能に設けられた縫い針（Ｎ）と、前記縫い針により布地（Ｍ）上に縫い付けられる上ボタン（Ａ）を保持する上ボタン保持部（２）と、前記上ボタンに対して前記布地の反対側に前記縫い針により縫い付けられる下ボタン（Ｂ）を保持する下ボタン保持部（４）と、前記上ボタン保持部及び前記下ボタン保持部の各々を独立して前記縫い針に対して垂直な方向に駆動する駆動部（例えば、上ボタン保持部駆動部３、下ボタン保持部駆動モータ５２）と、前記上ボタン及び前記下ボタンの縫い付け動作を制御する縫付動作制御手段（例えば、ＣＰＵ７１）と、を備えるボタン付けミシン（１００）において、
前記縫付動作制御手段は、
前記縫い針の上下動により、前記上ボタン及び前記下ボタンの何れか一の穴どうし（例えば、穴Ａ１、穴Ｂ１）に通された縫い糸が、前記上ボタン及び前記下ボタンの前記一の穴と異なる他の一の穴どうし（例えば、穴Ａ２、穴Ｂ２）に通されるように、前記駆動部により前記上ボタン保持部及び前記下ボタン保持部を駆動させる第一の縫付動作制御と、
前記縫い針の上下動により、前記上ボタン及び前記下ボタンの何れか一の穴どうしに通された縫い糸が、前記上ボタンの前記一の穴と異なる他の一の穴と前記下ボタンの前記一の穴に通されるように、前記駆動部により前記上ボタン保持部及び前記下ボタン保持部を駆動させる第二の縫付動作制御と、を実行可能に構成され、
前記第一の縫付動作制御と前記第二の縫付動作制御とを組み合わせて前記布地に対する前記上ボタン及び前記下ボタンの縫い付けを実行することを特徴としている。
【０００９】
請求項１に記載の発明によれば、縫付動作制御手段によって、第一の縫付動作制御と第二の縫付動作制御とが組み合わされて布地に対する上ボタン及び下ボタンの縫い付けが実行されるので、第一の縫付動作制御においては、上ボタン及び下ボタンの何れか二つの穴に縫い糸が掛け渡されることとなるが、第二の縫付動作制御においては、上ボタンの何れか二つの穴及び布地に縫い糸が掛け渡されることとなって、下ボタンの何れか二つの穴に掛け渡される縫い糸の数を減少させることができる。即ち、上ボタン及び下ボタンの各穴には、ボタンの縫付動作の進行に伴って縫い糸が通されていくが、下ボタンの何れか二つの穴に掛け渡される縫い糸の数を減少させることができるので、下ボタンの各穴に縫い糸を通す際に縫い糸が引き上がらなかったり、下ボタンの穴に既に通された縫い糸に縫い針が刺さったりするといった縫い不良の発生を抑制することができる。
また、下ボタンの布地と反対側にて形成される縫い目の数を減少させることができるので、縫い目が盛り上がった状態となり難くなって、当該縫い目のユーザに対する印象を向上させることができる。
従って、上ボタン及び下ボタンが縫い付けられた縫製物の商品価値を向上させることができる。
【００１０】
請求項２に記載の発明は、例えば、図３に示すように、請求項１に記載のボタン付けミシンにおいて、
前記下ボタンには、二つの穴（例えば、穴Ｂ１、Ｂ２）が形成されており、
前記縫付動作制御手段は、第二の縫付動作制御により前記下ボタンの第一の穴（例えば、穴Ｂ１）に連続して縫い糸が通された後、次の第二の縫付動作制御がなされる場合に、前記下ボタンの第二の穴（例えば、穴Ｂ２）に連続して縫い糸が通されるように、前記下ボタンを配置させることを特徴としている。
【００１１】
請求項２に記載の発明によれば、請求項１に記載の発明と同様の効果が得られるのは無論のこと、特に、縫付動作制御手段は、第二の縫付動作制御により下ボタンの第一の穴に連続して縫い糸が通された後、次の第二の縫付動作制御がなされる場合に、下ボタンの第二の穴に連続して縫い糸が通されるように、下ボタンを配置させるので、第二の縫付動作制御を下ボタンの第一の穴のみを用いて実行するのではなく、両方の穴を略均等に用いて実行することとなって、上ボタン及び下ボタンの縫い付けを適正に行うことができる。従って、縫い目のユーザに対する印象をさらに適正に向上させることができる。
【００１２】
請求項３に記載の発明は、請求項１又は２に記載のボタン付けミシンにおいて、
前記縫付動作制御手段による前記第二の縫付動作制御に基づく縫付回数を設定可能な操作部を備えることを特徴としている。
【００１３】
請求項３に記載の発明によれば、請求項１又は２に記載の発明と同様の効果が得られるのは無論のこと、特に、縫付動作制御手段による第二の縫付動作制御に基づく縫付回数を設定可能な操作部を備えているので、この操作部の操作に従って、上ボタン及び下ボタンの何れか二つの穴に掛け渡される縫い糸の数、並びに、上ボタンの何れか二つの穴のみに掛け渡される縫い糸の数を容易に調整することができる。
【００１４】
請求項４に記載の発明は、例えば、図１及び図２に示すように、
上下動可能に設けられた縫い針（Ｎ）と、前記縫い針により布地（Ｍ）上に縫い付けられる上ボタン（Ａ）を保持する上ボタン保持部（２）と、前記上ボタンに対して前記布地の反対側に前記縫い針により縫い付けられる下ボタン（Ｂ）を保持する下ボタン保持部（４）と、前記上ボタン保持部及び前記下ボタン保持部の各々を独立して前記縫い針に対して垂直な方向に駆動する駆動部（例えば、上ボタン保持部駆動部３、下ボタン保持部駆動モータ５２）と、を備えるボタン付けミシン（１００）を用いて、前記布地に前記上ボタン及び前記下ボタンを縫い付けるボタン縫付方法において、
前記縫い針の上下動により、前記上ボタン及び前記下ボタンの何れか一の穴どうし（例えば、穴Ａ１、穴Ｂ１）に通された縫い糸が、前記上ボタン及び前記下ボタンの前記一の穴と異なる他の一の穴どうし（例えば、穴Ａ２、穴Ｂ２）に通されるように、前記駆動部により前記上ボタン保持部及び前記下ボタン保持部を駆動させる第一の縫付動作工程と、
前記縫い針の上下動により、前記上ボタン及び前記下ボタンの何れか一の穴どうしに通された縫い糸が、前記上ボタンの前記一の穴と異なる他の一の穴と前記下ボタンの前記一の穴に通されるように、前記駆動部により前記上ボタン保持部及び前記下ボタン保持部を駆動させる第二の縫付動作工程と、
を組み合わせて前記布地に対する前記上ボタン及び前記下ボタンの縫い付けを実行することを特徴としている。
【００１５】
請求項４に記載の発明によれば、第一の縫付動作工程と第二の縫付動作工程とを組み合わせて布地に対する上ボタン及び下ボタンの縫い付けを実行するので、第一の縫付動作工程においては、上ボタン及び下ボタンの何れか二つの穴に縫い糸が掛け渡されることとなるが、第二の縫付動作工程においては、上ボタンの何れか二つの穴及び布地に縫い糸が掛け渡されることとなって、下ボタンの何れか二つの穴に掛け渡される縫い糸の数を減少させることができる。即ち、上ボタン及び下ボタンの各穴には、ボタンの縫付動作の進行に伴って縫い糸が通されていくが、下ボタンの何れか二つの穴に掛け渡される縫い糸の数を減少させることができるので、下ボタンの各穴に縫い糸を通す際に縫い糸が引き上がらなかったり、下ボタンの穴に既に通された縫い糸に縫い針が刺さったりするといった縫い不良の発生を抑制することができる。
また、下ボタンの布地と反対側にて形成される縫い目の数を減少させることができるので、縫い目が盛り上がった状態となり難くなって、当該縫い目のユーザに対する印象を向上させることができる。
従って、上ボタン及び下ボタンが縫い付けられた縫製物の商品価値を向上させることができる。
【００１６】
【発明の実施の形態】
以下に、本発明について、図面を用いて具体的な態様を説明する。ただし、発明の範囲は、図示例に限定されない。
ここで、図１は、本発明を適用した一実施の形態として例示するボタン付けミシンの要部構成を示すブロック図であり、図２は、図１のボタン付けミシンに備わる縫い針と上ボタン保持部と下ボタン保持部とを示す斜視図である。
【００１７】
図１に示すように、ボタン付けミシン１００は、布地Ｍ（図４参照）上に上ボタンＡ（図２参照）及び下ボタンＢ（図２参照）を縫い付けるための縫い針Ｎ（図２参照）を上下方向に駆動可能なミシンモータ１と、縫い針Ｎを左右方向（針振り方向）に駆動可能な針振りモータ５１と、上ボタンＡを保持する上ボタン保持部２（図２参照）を前後方向及び左右方向に駆動可能な上ボタン保持部駆動部（駆動部）３と、下ボタンＢを保持する下ボタン保持部４（図２参照）を前後方向に駆動可能な下ボタン保持部駆動モータ（駆動部）５２と、上ボタンＡ及び下ボタンＢの縫い付けに係る各種の動作を設定可能な操作パネル６と、これらを統括的に制御する制御部７とを備えて構成されている。
【００１８】
先ず、図２を参照して、縫い針Ｎと上ボタン保持部２と下ボタン保持部４の構成について説明する。
なお、以下の説明では、図２に示すように、縫い針Ｎの上下動を行う方向をＺ軸方向とし、これに直交する一の方向をＸ軸方向（左右方向）とし、Ｚ軸方向とＸ軸方向の両方に直交する方向をＹ軸方向（前後方向）とする。また、これら各軸方向において、図２における矢印が指し示す方向を正の方向とし、その逆方向を負の方向とする。
また、いわゆる表ボタンを上ボタンＡ、力ボタンのように表ボタンに対して布地Ｍの裏側に取り付けられるボタンを下ボタンＢとして説明する。
【００１９】
図２に示すように、縫い針Ｎは、例えば、布地Ｍの当該ボタン付けミシン１００により上ボタンＡ及び下ボタンＢが縫い付けられる位置の略真上に配設されたＺ軸方向に長尺な針棒Ｎ１の下端部に固定されている。また、縫い針Ｎの先端部には、図示は省略するが、縫い糸が挿通される貫通孔が形成されている。
さらに、縫い針Ｎは、当該縫い針Ｎに対向するように、布地Ｍに対する上ボタンＡ及び下ボタンＢの縫い付け位置の略真下に配設されたルーパ（図示略）との協働により、上ボタンＡ及び下ボタンＢの縫い付けに際し、縫い目を形成可能となっている。
また、縫い針Ｎは、針振りモータ５１の駆動により、図示しない所定の針振り機構部を介して、Ｘ軸方向（針振り方向）に往復揺動自在となるように構成されている。
【００２０】
上ボタン保持部２は、上ボタンＡをＸ軸方向に沿って両側から挟む２つの上ボタン保持部材２１Ｌ、２１Ｒの各々が固定された２本の上ボタン保持アーム２２Ｌ、２２Ｒを備えており、上ボタン保持部駆動部３の駆動により、図示しない上ボタン駆動機構を介してＸ軸方向及びＹ軸方向に移動可能となっている。
上ボタン保持アーム２２Ｌ、２２Ｒは、図示しないボタン保持部開閉機構によって、Ｘ軸方向に開閉自在に構成されており、これにより上ボタン保持部材２１Ｌ、２１Ｒを介して上ボタンＡの保持及び解除を自在に行うことができるようになっている。
また、上ボタン保持部２は、図示しない上ボタン保持部上下動駆動部により、Ｚ軸方向に移動自在となるように構成されている。
【００２１】
下ボタン保持部４は、下ボタンＢをＸ軸方向に沿って両側から挟む２つの下ボタン保持アーム４１Ｌ、４１Ｒと、２つの下ボタン保持アーム４１Ｌ、４１Ｒに取付固定され、当該下ボタン保持アーム４１Ｌ、４１Ｒに対して下ボタンＢを保持するための所定の保持力を付与可能なバネ４２と、２つの下ボタン保持アーム４１Ｌ、４１Ｒにより保持された下ボタンＢを下側から支持するためのガイド部材４３等を備えている。
また、下ボタン保持部４は、下ボタン保持部駆動モータ５２の駆動により、図示しない下ボタン駆動機構を介してＹ軸方向に移動可能となっている。
【００２２】
制御部７は、ＣＰＵ（Ｃｅｎｔｒａｌ  Ｐｒｏｃｅｓｓｉｎｇ  Ｕｎｉｔ）７１、ＲＡＭ（Ｒａｎｄｏｍ  Ａｃｃｅｓｓ  Ｍｅｍｏｒｙ）７２、ＲＯＭ（Ｒｅａｄ  Ｏｎｌｙ  Ｍｅｍｏｒｙ）７３、インターフェイス（Ｉ／Ｆ）７４、駆動回路７５、上ボタン保持部Ｘ軸駆動回路７６、上ボタン保持部Ｙ軸駆動回路７７、針振り駆動回路７８、下ボタン保持部Ｙ軸駆動回路７９等から構成されている。
【００２３】
ＲＯＭ７３は、例えば、プログラマブルな半導体メモリであり、ＣＰＵ７１により実行されるボタン付けミシン１００としての各種の機能に係るプログラムや、制御データ等を記憶する。具体的には、ＲＯＭ７３は、ボタン縫付プログラム７３ａ、縫付動作制御プログラム７３ｂ等を記憶している。
【００２４】
ＲＡＭ７２は、例えば、揮発性の半導体メモリから構成されており、ＣＰＵ７１による作業領域と、ＲＯＭ７３から読み出されたボタン付けミシン１００で実行可能な各種のプログラムや制御データ等を一時的に格納する記憶領域とを備えている。
【００２５】
ＣＰＵ７１は、ＲＯＭ７３に格納されている各種プログラムの中から指定されたプログラムを、ＲＡＭ７２内の作業領域に展開して、当該プログラムに従った各種処理を実行する。
具体的には、ＣＰＵ７１は、ボタン縫付プログラム７３ａに従って、上ボタンＡ及び下ボタンＢを布地Ｍの所定位置に対して縫い付けるボタン縫付処理を実行する。
このボタン縫付処理において、ＣＰＵ７１は、縫付動作制御手段として、縫付動作制御プログラム７３ｂに従って、上ボタンＡ及び下ボタンＢの縫い付けに係る動作制御である第一の縫付動作制御と、上ボタンＡのみの縫い付けに係る動作制御である第二の縫付動作制御とを組み合わせて、布地Ｍに対する上ボタンＡ及び下ボタンＢの縫い付けを実行する。
ここで、第一の縫付動作制御は、縫い針Ｎの上下動により、上ボタンＡ及び下ボタンＢの何れか一の穴どうし（例えば、穴Ａ１、穴Ｂ１）に通された縫い糸が、上ボタンＡ及び下ボタンＢの一の穴と異なる他の一の穴どうし（例えば、穴Ａ２、穴Ｂ２）に通されるように、上ボタン保持部駆動部３及び下ボタン保持部駆動モータ５２により上ボタン保持部２及び下ボタン保持部４を駆動させる縫付動作に係る制御である。
また、第二の縫付動作制御は、縫い針Ｎの上下動により、上ボタンＡ及び下ボタンＢの何れか一の穴どうし（例えば、穴Ａ１、穴Ｂ１）に通された縫い糸が、上ボタンＡの一の穴と異なる他の一の穴（例えば、穴Ａ２）と下ボタンＢの一の穴に通されるように、上ボタン保持部駆動部３及び下ボタン保持部駆動モータ５２により上ボタン保持部２及び下ボタン保持部４を駆動させる縫付動作に係る制御である。この第二の縫付動作制御において、ＣＰＵ７１は、第二の縫付動作制御により下ボタンＢの第一の穴（例えば、穴Ｂ２）に連続して縫い糸が通された後、次の第二の縫付動作制御がなされる場合に、下ボタンＢの第二の穴（例えば、穴Ｂ１）に連続して縫い糸が通されるように、下ボタンＢを配置させる制御を行う。
【００２６】
駆動回路７５は、ミシンモータ１に接続されており、ＣＰＵ７１の演算処理の結果、当該ＣＰＵ７１から出力されインターフェイス７４を介して入力された駆動信号に基づいて、ミシンモータ１の駆動を制御する。
これにより、ミシンモータ１が駆動して、縫い針Ｎが上下動したり、ルーパが所定方向に回転したりして、縫い目形成を行う。具体的には、縫い針Ｎの上下動に基づいて回転するルーパが縫い糸を捕捉して糸ループを形成し、先に形成される糸ループと当該糸ループの次に形成される糸ループとにより単糸環縫い目を形成することにより、ボタンの縫い付け動作を実行可能となっている。
【００２７】
上ボタン保持部Ｘ軸駆動回路７６は、上ボタン保持部駆動部３に備わるＸ軸駆動モータ３１に接続されており、ＣＰＵ７１の演算処理の結果、当該ＣＰＵ７１から出力されインターフェイス７４を介して入力された駆動信号に基づいて、Ｘ軸駆動モータ３１の駆動を制御する。これにより、Ｘ軸駆動モータ３１が駆動して、上ボタン保持部２をＸ軸方向（縫い針Ｎに対して垂直な方向）に移動させる。
また、上ボタン保持部Ｙ軸駆動回路７７は、上ボタン保持部駆動部３に備わるＹ軸駆動モータ３２に接続されており、ＣＰＵ７１の演算処理の結果、当該ＣＰＵ７１から出力されインターフェイス７４を介して入力された駆動信号に基づいて、Ｙ軸駆動モータ３２の駆動を制御する。これにより、Ｙ軸駆動モータ３２が駆動して、上ボタン保持部２をＹ軸方向（縫い針Ｎに対して垂直な方向）に移動させる。
【００２８】
針振り駆動回路７８は、針振りモータ５１に接続されており、ＣＰＵ７１の演算処理の結果、当該ＣＰＵ７１から出力されインターフェイス７４を介して入力された駆動信号に基づいて、針振りモータ５１の駆動を制御する。これにより、針振りモータ５１が駆動して、縫い針Ｎを所定の針振り機構部を介して縫い針ＮをＸ軸方向に針振りさせる。
【００２９】
下ボタン保持部Ｙ軸駆動回路７９は、下ボタン保持部駆動モータ５２に接続されており、ＣＰＵ７１の演算処理の結果、当該ＣＰＵ７１から出力されインターフェイス７４を介して入力された駆動信号に基づいて、下ボタン保持部駆動モータ５２の駆動を制御する。これにより、下ボタン保持部駆動モータ５２が駆動して、下ボタン保持部４をＹ軸方向（縫い針Ｎに対して垂直な方向）に移動させる。
【００３０】
操作パネル（操作部）６は、ＣＰＵ７１による第一の縫付動作制御や第二の縫付動作制御に基づく上ボタンＡ及び下ボタンＢの縫付回数の設定や、その他の上ボタンＡ及び下ボタンＢの縫い付けに係る各種の動作を設定するための所定のスイッチを備えている。そして、操作パネル６は、各スイッチが押下されることで操作信号をＣＰＵ７１に対して出力可能となっている。
【００３１】
次に、ボタン付けミシン１００によるボタン縫付処理について、図３及び図４を参照して説明する。
ここで、図３は、ボタン付けミシン１００による上ボタンＡ及び下ボタンＢの縫い付けの際の、縫い針Ｎの針落ち順と縫い針Ｎが針落ちされる上ボタンＡ及び下ボタンＢの各穴との対応を示す図である。また、図４は、ボタン付けミシン１００によるボタン縫付処理における上ボタンＡ及び下ボタンＢの配置状態を示す平面図であり、このうち、図４（ａ）は、第一の縫付動作制御に対応する上ボタンＡ及び下ボタンＢの配置状態を示し、図４（ｂ）は、第二の縫付動作制御に対応する上ボタンＡ及び下ボタンＢの配置状態を示す。
【００３２】
なお、図４に示す上ボタンＡ及び下ボタンＢは、図５に示した上ボタンＡ及び下ボタンＢと略同様のものである。即ち、上ボタンＡには、２つずつ略平行となるように２列に並んで四つの穴Ａ１〜Ａ４が形成され、下ボタンＢには、１列に並んで二つの穴Ｂ１、Ｂ２が形成されている。また、上ボタンＡ及び下ボタンＢの穴の各列における穴間の距離は略等しくなっている。
【００３３】
先ず、ボタン付けミシン１００におけるボタン縫付動作の前に、上ボタンＡ及び下ボタンＢ並びに布地Ｍをセットする。
即ち、例えば、手動あるいは周知のボタンフィーダー装置などによって、上ボタン保持部２に上ボタンＡを供給して、この上ボタンＡを上ボタン保持部２に保持させる。具体的には、例えば、上ボタン保持部２に、四つの穴Ａ１〜Ａ４のうち、二つの穴Ａ１、Ａ２（Ａ３、Ａ４）の並び方向がＹ軸方向と略平行となるように上ボタンＡを保持させる（図２参照）。
また、上ボタンＡと同様にして、下ボタン保持部４に下ボタンＢを供給し、この下ボタンＢを下ボタン保持部４に保持させる。即ち、例えば、下ボタン保持部４に、二つの穴Ｂ１、Ｂ２の並び方向がＹ軸方向と略平行となるように下ボタンＢを保持させる（図２参照）。
さらに、下ボタン保持部４に保持された下ボタンＢの上方に、布地Ｍを載置した状態とする。
【００３４】
次に、操作パネル６のボタン縫付処理の開始を指示する所定のスイッチ（図示略）がユーザにより操作されると、ＣＰＵ７１は、ＲＯＭ７３からボタン縫付プログラム７３ａを読み出してＲＡＭ７２の作業領域に展開し、このボタン縫付プログラム７３ａに従って、ボタン縫付処理を実行する。
このボタン縫付処理において、ＣＰＵ７１は、上ボタン保持部２及び下ボタン保持部４に保持された上ボタンＡ及び下ボタンＢの各々の穴の個数や各ボタンの中心に対する各穴の中心座標等を含む位置データが入力されると、この位置データに基づいて、所定の演算を行うことにより、上ボタンＡの穴Ａ１〜Ａ４と下ボタンＢの穴Ｂ１、Ｂ２の各位置及び距離を認識して、縫い針Ｎが針落ちされる穴の組み合わせを算出する。具体的には、例えば、ＣＰＵ７１は、縫い針Ｎが針落ちされる穴の組み合わせとして、下ボタンＢの穴Ｂ１、Ｂ２に対しての、上ボタンＡの二つの穴Ａ１、Ａ２並びに二つの穴Ａ３、Ａ４の組み合わせを算出する。
【００３５】
その後、ＣＰＵ７１は、操作パネル６がユーザにより操作されて、ボタン縫付動作における、上ボタンＡ及び下ボタンＢの縫付回数並びに上ボタンＡのみの縫付回数が設定されると、所定の演算処理を行って、上ボタンＡ及び下ボタンＢの穴に対しての縫い針Ｎの針落ち順序を決定する。これにより、例えば、図３（ａ）に示すような縫い針Ｎの針落ち順序が決定される。
【００３６】
そして、操作パネル６のボタン縫付処理に係る動作の開始を指示するスイッチがユーザにより操作されると、ＣＰＵ７１は、ＲＯＭ７３から縫付動作制御プログラム７３ｂを読み出して実行することにより、縫い針Ｎが上記のようにして決定された縫い針Ｎの針落ち順序に従って針落ちされるように、ボタンの縫付動作を制御する。
ここで、本実施の形態では、先ず、上ボタンＡの二つの穴Ａ１、Ａ２と下ボタンＢの二つの穴Ｂ１、Ｂ２を用いて、上ボタンＡ及び下ボタンＢの縫い付けを行い、その後、上ボタンＡの残り二つの穴Ａ３、Ａ４と下ボタンＢの二つの穴Ｂ１、Ｂ２を用いて、上ボタンＡ及び下ボタンＢの縫い付けを行うものとする。
【００３７】
先ず、ＣＰＵ７１は、第一の縫付動作制御として、１針目が上ボタンＡの穴Ａ１及び下ボタンＢの穴Ｂ１に針落ちされるように、針振りモータ５１の駆動を制御して、縫い針ＮをＸ軸方向に移動させて、当該縫い針Ｎの針落ち方向と下ボタンＢの穴Ｂ１、Ｂ２の並び方向とが交わる位置に配置させ、且つ、Ｘ軸駆動モータ３１及びＹ軸駆動モータ３２の駆動を制御して、上ボタン保持部２を所定方向に移動させて、上ボタン保持部２に保持された上ボタンＡの穴Ａ１を縫い針Ｎの略真下に配置させるとともに、下ボタン保持部駆動モータ５２の駆動を制御して、下ボタン保持部４をＹ軸方向に移動させて、下ボタン保持部４に保持された下ボタンＢの穴Ｂ１を縫い針Ｎの略真下に配置させる（第一の縫付動作工程）。
そして、上ボタンＡの穴Ａ１及び下ボタンＢの穴Ｂ１が縫い針Ｎの略真下に配置されると（図４（ａ）参照）、ＣＰＵ７１は、ミシンモータ１の駆動を制御して、上ボタンＡの穴Ａ１及び下ボタンＢの穴Ｂ１に縫い針Ｎを落とし、上ボタンＡの穴Ａ１と下ボタンＢの穴Ｂ１に縫い糸を通す。
続けて、ＣＰＵ７１は、ミシンモータ１の駆動を制御して、上ボタンＡの穴Ａ１及び下ボタンＢの穴Ｂ１から縫い針Ｎを引き抜く。ここで、ＣＰＵ７１の制御下にて、縫い針Ｎの上下動に同期してルーパが作動することで、上ボタンＡの穴Ａ１と下ボタンＢの穴Ｂ１に通された縫い糸を捕捉して下ボタンＢの下方にて糸ループを形成する。
【００３８】
次に、ＣＰＵ７１は、２針目が上ボタンＡの穴Ａ２及び下ボタンＢの穴Ｂ２に針落ちされるように、上ボタンＡの穴Ａ２及び下ボタンＢの穴Ｂ２を縫い針Ｎの略真下に配置させる。このとき、上ボタンＡの二つの穴Ａ１、Ａ２の並び方向と下ボタンＢの二つの穴Ｂ１、Ｂ２の並び方向とは、既に略等しくなっているので、ＣＰＵ７１は、Ｙ軸駆動モータ３２及び下ボタン保持部駆動モータ５２の駆動のみを制御して、上ボタン保持部２及び下ボタン保持部４を、例えば正のＹ軸方向に移動させるようになっている。
続けて、ＣＰＵ７１は、ミシンモータ１の駆動を制御して、上ボタンＡの穴Ａ２及び下ボタンＢの穴Ｂ２に縫い針Ｎを落とし、上ボタンＡの穴Ａ２と下ボタンＢの穴Ｂ２に縫い糸を通す。これにより、縫い糸が下方向に引っ張られて、上ボタンＡの二つの穴Ａ１、Ａ２に縫い糸が１本掛け渡された状態となる。
その後、ＣＰＵ７１の制御下にて、縫い針Ｎを引き抜く。ここで、縫い針Ｎの上下動に同期して作動するルーパは、上ボタンＡの穴Ａ２と下ボタンＢの穴Ｂ２に通された縫い糸を捕捉して、下ボタンＢの下方にて糸ループを形成するとともに、形成された糸ループと１針目で形成された糸ループとによって単糸環縫い目を形成する。また、縫い針Ｎの上方向に対しての移動に伴って縫い糸が上方向に引っ張られて、下ボタンＢの二つの穴Ｂ１、Ｂ２に縫い糸が１本掛け渡された状態となる。
【００３９】
次に、ＣＰＵ７１は、第二の縫付動作制御として、３針目が上ボタンＡの穴Ａ１及び下ボタンＢの穴Ｂ２に針落ちされるように、即ち、下ボタンＢの穴Ｂ２に２針目から連続して縫い糸が通されるように、Ｙ軸駆動モータ３１の駆動を制御して、上ボタン保持部２を、例えば正のＹ軸方向に移動させて、上ボタン保持部２に保持された上ボタンＡの穴Ａ１を縫い針Ｎの略真下に配置させる（第二の縫付動作工程）。そして、上ボタンＡの穴Ａ１及び下ボタンＢの穴Ｂ２が縫い針Ｎの略真下に配置されると（図４（ｂ）参照）、ＣＰＵ７１は、上記と同様の制御を行うことで、上ボタンＡの穴Ａ１及び下ボタンＢの穴Ｂ２に縫い針Ｎを落とし、上ボタンＡの穴Ａ１と下ボタンＢの穴Ｂ２に縫い糸を通す。これにより、上ボタンＡの二つの穴Ａ１、Ａ２に縫い糸が合計２本掛け渡された状態となる。
その後、ＣＰＵ７１の制御下にて、縫い針Ｎを引き抜く。ここで、縫い針Ｎの上下動に同期して作動するルーパは、上ボタンＡの穴Ａ１と下ボタンＢの穴Ｂ２に通された縫い糸を捕捉して、下ボタンＢの下方にて糸ループを形成するとともに、形成された糸ループと２針目で形成された糸ループとによって単糸環縫い目を形成する。この単糸環縫い目は、縫い針Ｎの上方向に対しての移動に伴って縫い糸が上方向に引っ張られることで、布地Ｍの下側にて形成され、下ボタンＢの二つの穴Ｂ１、Ｂ２には縫い糸が１本掛け渡されたままの状態を維持する。
【００４０】
次に、ＣＰＵ７１は、４針目が上ボタンＡの穴Ａ２及び下ボタンＢの穴Ｂ１に針落ちされるように、第一の縫付動作制御を実行する。
そして、４針目の縫い針Ｎの針落ちによって、上ボタンＡの二つの穴Ａ１、Ａ２及び下ボタンＢの二つの穴Ｂ１、Ｂ２にそれぞれ１本ずつ縫い糸が掛け渡され、これにより、上ボタンＡの二つの穴Ａ１、Ａ２には縫い糸が合計３本掛け渡された状態となり、下ボタンＢの二つの穴Ｂ１、Ｂ２には縫い糸が合計２本掛け渡された状態となる。
【００４１】
次に、ＣＰＵは、５針目が、上ボタンＡの穴Ａ１と、下ボタンＢのうち、３針目に針落ちされた穴Ｂ２と異なる穴Ｂ１に針落ちされるように、縫い針Ｎの略真下となる位置に上ボタンＡの穴Ａ１及び下ボタンＢの穴Ｂ１を配置させる第二の縫付動作制御（次の第二の縫付動作制御）を実行する。
そして、５針目の縫い針Ｎの針落ちによって、上ボタンＡの二つの穴Ａ１、Ａ２にのみ縫い糸が１本掛け渡され、これにより、上ボタンＡの二つの穴Ａ１、Ａ２には縫い糸が合計４本掛け渡された状態となり、下ボタンＢの二つの穴Ｂ１、Ｂ２には縫い糸が２本掛け渡されたままの状態を維持する。
【００４２】
次に、ＣＰＵ７１は、６針目が上ボタンＡの穴Ａ２及び下ボタンＢの穴Ｂ２に針落ちされ、７針目が上ボタンＡの穴Ａ１及び下ボタンＢの穴Ｂ１に針落ちされるように、第一の縫付動作制御を実行する。
そして、６針目及び７針目の縫い針Ｎの針落ちによって、上ボタンＡの二つの穴Ａ１、Ａ２及び下ボタンＢの二つの穴Ｂ１、Ｂ２にそれぞれ２本ずつ縫い糸が掛け渡され、これにより、上ボタンＡの二つの穴Ａ１、Ａ２には縫い糸が合計６本掛け渡された状態となり、下ボタンＢの二つの穴Ｂ１、Ｂ２には縫い糸が合計４本掛け渡された状態となる。
【００４３】
そして、ＣＰＵ７１は、最終の針落ちとしての８針目を上ボタンＡ及び下ボタンＢの７針目と同じ穴Ａ１、Ｂ１に針落ちさせ、所定の糸結び動作を実行して縫い糸を結んだ後、図示しない糸切り装置により縫い糸を切断する。
【００４４】
次に、上記と同様の方法にて、上ボタンＡの残り二つの穴Ａ３、Ａ４と下ボタンＢの二つの穴Ｂ１、Ｂ２に縫い糸を通して、上ボタンＡ及び下ボタンＢの縫い付けを行う。
これにより、上ボタンＡの二つの穴Ａ３、Ａ４には縫い糸が合計６本掛け渡された状態となり、下ボタンＢの二つの穴Ｂ１、Ｂ２には縫い糸が合計４本掛け渡された状態となる。
【００４５】
以上のように、ボタン付けミシン１００によれば、ＣＰＵ７１は、ボタン縫付処理において、第一の縫付動作制御と第二の縫付動作制御とを組み合わせて布地Ｍに対する上ボタンＡ及び下ボタンＢの縫い付けを実行するので、第一の縫付動作制御においては、上ボタンＡ及び下ボタンＢの各々の二つの穴Ａ１、Ａ２（Ｂ１、Ｂ２）に対して縫い糸が交互に通されて、上ボタンＡ及び下ボタンＢの二つの穴Ａ１、Ａ２（Ｂ１、Ｂ２）に縫い糸が掛け渡されることとなるが、第二の縫付動作制御においては、上ボタンＡの二つの穴Ａ１、Ａ２及び布地Ｍに縫い糸が掛け渡されることとなって、下ボタンＢの二つの穴Ｂ１、Ｂ２に掛け渡される縫い糸の数を減少させることができる。即ち、上ボタンＡ及び下ボタンＢの各穴Ａ１、Ａ２（Ｂ１、Ｂ２）には、ボタンの縫付動作の進行に伴って、縫い糸が通されていくが、ＣＰＵ７１による第二の縫付動作制御において、下ボタンＢの二つの穴Ｂ１、Ｂ２に掛け渡される縫い糸の数を減少させることができるので、下ボタンＢの各穴Ｂ１、Ｂ２に縫い糸を通す際に縫い糸が引き上がらなかったり、下ボタンＢの穴Ｂ１、Ｂ２に既に通された縫い糸に縫い針が刺さったりするといった縫い不良の発生を抑制することができる。
また、下ボタンＢの布地Ｍと反対側にて形成される縫い目の数を減少させることができるので、縫い目が盛り上がった状態となり難くなって、当該縫い目のユーザに対する印象を向上させることができる。
従って、上ボタンＡ及び下ボタンＢが縫い付けられた縫製物の商品価値を向上させることができる。
【００４６】
また、ＣＰＵ７１は、第二の縫付動作制御において、２針目から３針目にかけての第二の縫付動作制御において、下ボタンＢの穴Ｂ２に連続して縫い糸が通され、４針目から５針目の第二の縫付動作制御において、下ボタンＢの穴Ｂ１に連続して縫い糸が通されるように、下ボタンＢを配置させるので、第二の縫付動作制御を下ボタンＢの何れか一方の穴（例えば、穴Ｂ２）のみを用いて実行するのではなく、両方の穴Ｂ１、Ｂ２を略均等に用いて実行することとなって、上ボタンＡ及び下ボタンＢの縫い付けを適正に行うことができる。従って、縫い目のユーザに対する印象をさらに適正に向上させることができる。
さらに、ＣＰＵ７１による第二の縫付動作制御に基づく上ボタンＡの縫付回数を設定可能な操作パネル６を備えているので、操作パネル６の操作に従って、上ボタンＡ及び下ボタンＢの二つの穴Ａ１、Ａ２（Ｂ１、Ｂ２）に掛け渡される縫い糸の数、並びに、上ボタンＡの二つの穴Ａ１、Ａ２のみに掛け渡される縫い糸の数を容易に調整することができる。
【００４７】
なお、上記実施の形態では、ＣＰＵ７１は、ボタン縫付処理において、上ボタンＡの何れか二つの穴Ａ１、Ａ２（Ａ３、Ａ４）に掛け渡される縫い糸の数に対して、下ボタンＢの二つの穴Ｂ１、Ｂ２に掛け渡される縫い糸の数が２本少なくなるように、第二の縫付動作制御を２回実行するようにしたが、これに限られるものではなく、第二の縫付動作制御の実行回数は、適宜任意に変更可能となっている。即ち、例えば、図３（ｂ）に示すように、２針目、３針目、５針目、６針目が第二の縫付動作制御として針落ちされるようにしても良い。
これにより、上ボタンＡの二つの穴Ａ１、Ａ２に掛け渡される縫い糸の数に対して、下ボタンＢの二つの穴Ｂ１、Ｂ２に掛け渡される縫い糸の数を４本少なくすることができる。
また、上ボタンＡの残りの二つの穴Ａ３、Ａ４と下ボタンＢの二つの穴Ｂ１、Ｂ２に対しても、上記と同様に、それぞれの穴に掛け渡される縫い糸の本数を減少させることができる。従って、全体として、上ボタンＡの何れか二つの穴Ａ１、Ａ２（Ａ３、Ａ４）には、６本の縫い糸が掛け渡されることとなるが、下ボタンＢの二つの穴Ｂ１、Ｂ２には、４本の縫い糸が掛け渡されることとなり、下ボタンＢの二つの穴Ｂ１、Ｂ２に掛け渡される縫い糸の数をさらに減少させることができる。これにより、下ボタンＢの各穴Ｂ１、Ｂ２に縫い糸を通す際に縫い糸が引き上がらなかったり、下ボタンＢの穴Ｂ１、Ｂ２に既に通された縫い糸に縫い針が刺さったりするといった縫い不良の発生をさらに適正に抑制することができる。
【００４８】
なお、本発明は、上記実施の形態に限定されることなく、本発明の趣旨を逸脱しない範囲において、種々の改良並びに設計の変更を行っても良い。
例えば、上記実施の形態では、上ボタン保持部２及び下ボタン保持部４に対して、上ボタンＡの二つの穴Ａ１、Ａ２及び残り二つの穴Ａ３、Ａ４の並び方向が下ボタンＢの二つの穴Ｂ１、Ｂ２の並び方向と略平行となるように、各ボタンをセットするようにしたが、これに限られるものではなく、上ボタンＡ及び下ボタンＢの配置状態は適宜任意に変更可能となっている。
さらに、上記実施の形態では、上ボタンＡの二つの穴Ａ１、Ａ２及び残り二つの穴Ａ３、Ａ４の並び方向が下ボタンＢの二つの穴Ｂ１、Ｂ２の並び方向と略平行となっているために、ＣＰＵ７１は、ボタン縫付処理における、例えば、１針目の第一の縫付動作制御において、上ボタンＡの二つの穴Ａ１、Ａ２の並び方向が下ボタンＢの二つの穴Ｂ１、Ｂ２の並び方向と略等しくなるように、上ボタン保持部駆動部３の駆動を制御した後、２針目以降の制御においては、Ｙ軸駆動モータ３２及び下ボタン保持部駆動モータ５２の駆動を制御するようにしたが、これに限られるものではなく、例えば、上ボタンＡ及び下ボタンＢの配置等に応じて、上ボタン保持部駆動部３や下ボタン保持部駆動モータ５２や針振りモータ５１の駆動状態を適宜任意に変更して駆動制御可能となっている。
【００４９】
また、上ボタンＡに２つずつ２列に並んで四つの穴Ａ１〜Ａ４が形成され、下ボタンＢに１列に並んで二つの穴Ｂ１、Ｂ２が形成され、さらに、上ボタンＡ及び下ボタンＢの穴の各列における穴間の距離が略等しくなっているものを例示したが、これに限られるものではなく、上ボタンＡ及び下ボタンＢに形成される穴の個数、穴間の距離、穴の配置等は、適宜任意に変更可能となっている。即ち、本発明にあっては、上ボタンＡ及び下ボタンＢの穴の個数、穴間の距離、穴の配置等に応じて、ＣＰＵ７１は、上ボタン保持部駆動部３や下ボタン保持部駆動モータ５２や針振りモータ５１の駆動状態を適宜任意に変更して駆動制御可能となっている。
【００５０】
さらに、上記実施の形態では、ボタン縫付処理において、上ボタンＡ及び下ボタンＢの縫付回数並びに上ボタンＡのみの縫付回数を設定して、上ボタンＡの二つの穴Ａ１、Ａ２（Ａ３、Ａ４）に６本の縫い糸が掛け渡されるような構成としたが、これに限られるものではなく、上ボタンＡの二つの穴Ａ１、Ａ２に掛け渡される縫い糸の本数は、適宜任意に変更可能となっている。
【００５１】
また、上記実施の形態では、操作部として、各種のスイッチが設けられた操作パネル６を例示したが、これに限られるものではなく、ＣＰＵ７１による第二の縫付動作制御に基づく縫付回数を設定可能であれば如何なる構成のものであっても良い。例えば、操作パネル６は、表示画面と各種のスイッチとが一体となって構成された感圧式のタッチパネルであっても良い。また、操作部として、操作パネル６の替わりに、表示画面に表示されたカーソルを移動させて表示画面上の所定位置を指示することで、指示位置を検知可能なマウス等を適用しても良いし、表示画面上の所望の位置にその先端を合わせることにより、その位置を検知可能な操作ペン等を適用しても良い。
【００５２】
【発明の効果】
請求項１に記載の発明によれば、第一の縫付動作制御においては、上ボタン及び下ボタンの何れか二つの穴に縫い糸が掛け渡されることとなるが、第二の縫付動作制御においては、上ボタンの何れか二つの穴及び布地に縫い糸が掛け渡されることとなって、下ボタンの何れか二つの穴に掛け渡される縫い糸の数を減少させることができるので、下ボタンの各穴に縫い糸を通す際に縫い糸が引き上がらなかったり、下ボタンの穴に既に通された縫い糸に縫い針が刺さったりするといった縫い不良の発生を抑制することができる。また、下ボタンの布地と反対側にて形成される縫い目の数を減少させることができるので、縫い目が盛り上がった状態となり難くなって、当該縫い目のユーザに対する印象を向上させることができる。
従って、上ボタン及び下ボタンが縫い付けられた縫製物の商品価値を向上させることができる。
【００５３】
請求項２に記載の発明によれば、第二の縫付動作制御を下ボタンの第一の穴のみを用いて実行するのではなく、両方の穴を略均等に用いて実行することとなって、上ボタン及び下ボタンの縫い付けを適正に行うことができる。従って、縫い目のユーザに対する印象をさらに適正に向上させることができる。
【００５４】
請求項３に記載の発明によれば、操作部の操作に従って、上ボタン及び下ボタンの何れか二つの穴に掛け渡される縫い糸の数、並びに、上ボタンの何れか二つの穴のみに掛け渡される縫い糸の数を容易に調整することができる。
【００５５】
請求項４に記載の発明によれば、第一の縫付動作工程においては、上ボタン及び下ボタンの何れか二つの穴に縫い糸が掛け渡されることとなるが、第二の縫付動作工程においては、上ボタンの何れか二つの穴及び布地に縫い糸が掛け渡されることとなって、下ボタンの何れか二つの穴に掛け渡される縫い糸の数を減少させることができるので、下ボタンの各穴に縫い糸を通す際に縫い糸が引き上がらなかったり、下ボタンの穴に既に通された縫い糸に縫い針が刺さったりするといった縫い不良の発生を抑制することができる。また、下ボタンの布地と反対側にて形成される縫い目の数を減少させることができるので、縫い目が盛り上がった状態となり難くなって、当該縫い目のユーザに対する印象を向上させることができる。
従って、上ボタン及び下ボタンが縫い付けられた縫製物の商品価値を向上させることができる。
【図面の簡単な説明】
【図１】本発明を適用した一実施の形態として例示するボタン付けミシンの要部構成を示すブロック図である。
【図２】図１のボタン付けミシンに備わる縫い針と上ボタン保持部と下ボタン保持部とを示す斜視図である。
【図３】図１のボタン付けミシンによる上ボタン及び下ボタンの縫い付けの際の、針落ち順と縫い針が針落ちされるボタンの穴との対応を示す図である。
【図４】図１のボタン付けミシンによるボタン縫付処理における上ボタン及び下ボタンの配置状態を示す平面図である。
【図５】上ボタン及び下ボタンを示す平面図である。
【図６】従来のボタン付けミシンによる上ボタン及び下ボタンの縫い付けの際の、針落ち順と縫い針が針落ちされるボタンの穴との対応を示す図である。
【符号の説明】
１００      ボタン付けミシン
２          上ボタン保持部
３          上ボタン保持部駆動部（駆動部）
３１        Ｘ軸駆動モータ（駆動部）
３２        Ｙ軸駆動モータ（駆動部）
４          下ボタン保持部
５２        下ボタン保持部駆動モータ（駆動部）
７１        ＣＰＵ（縫付動作制御手段）
Ａ          上ボタン
Ａ１〜Ａ４  穴
Ｂ          下ボタン
Ｂ１、Ｂ２  穴
Ｍ          布地
Ｎ          縫い針
【図１】
2004329407.tif 000003
【図２】
2004329407.tif 000004
【図３】
2004329407.tif 000005
【図４】
2004329407.tif 000006
【図５】
2004329407.tif 000007
【図６】
2004329407.tif 000008